(57)【特許請求の範囲】
【請求項１】
建物内において隣り合う２つの室間の換気構造であって、
前記２つの室間に位置し、前記２つの室間を連通する開口部を有する間仕切壁と、
前記開口部の両側部に固定される一対の側部部材と、前記開口部の上端部に固定される上部部材とを含むドア枠と、
前記ドア枠に取付けられ、前記開口部を開閉可能な内装ドアと、
閉状態における前記内装ドアの上端面と、それに対面する前記ドア枠の上部部材の下面との間の間隔によって形成され、前記２つの室間の換気経路を構成する上部隙間と、
前記上部部材に固定された上部戸当とを備え、
前記上部戸当は、幅方向に沿って延び、閉状態における前記内装ドアの上端部に当接する当接部と、前記当接部よりも上方に位置し、前記上部隙間に面する第１通気開口と、前記当接部および前記第１通気開口に対面して幅方向に沿って延びる対面部と、前記当接部の下端と前記対面部の下端とを連結して幅方向に沿って延びる底壁部と、前記底壁部または前記対面部に設けられた第２通気開口とを含み、
前記上部戸当に、前記第１通気開口から前記第２通気開口に至る通気路が形成されている、建物内の換気構造。
【請求項２】
閉状態における前記内装ドアの下端部と前記内装ドアの下端部に対面する前記開口部の底面との間に設けられた下部隙間をさらに備え、
前記上部隙間および前記下部隙間の双方が、前記２つの室間の換気経路を構成する、請求項１に記載の建物内の換気構造。
【請求項３】
前記下部隙間の高さ寸法は、５ｍｍ以下である、請求項２に記載の建物内の換気構造。
【請求項４】
前記上部隙間の高さ寸法は、前記下部隙間の高さ寸法よりもよりも大きい、請求項２または３に記載の建物内の換気構造。
【請求項５】
前記上部隙間と前記下部隙間とを合わせた開口面積は、１００ｃｍ２以上１５０ｃｍ２以下である、請求項２〜４のいずれかに記載の建物内の換気構造。
【請求項６】
前記上部隙間を介した前記２つの室間における光の漏れを防止するための遮光手段をさらに備える、請求項１〜５のいずれかに記載の建物内の換気構造。
【請求項７】
前記遮光手段は、前記上部戸当の前記対面部によって構成されている、請求項６に記載の建物内の換気構造。
【発明の詳細な説明】
【技術分野】
【０００１】
本発明は、建物内の換気構造に関する。
【背景技術】
【０００２】
一般的に、建物内のドア（内装ドア）の下端部と床との間には、アンダーカットと称される１０ｍｍ〜３０ｍｍ程度の隙間が設けられる。この隙間は、建物内の２４時間換気のための隙間であり、隣り合う２つの室（たとえば居室と廊下）間の換気経路を構成する。
【０００３】
しかしながら、内装ドアの下端部と床との間に１０ｍｍ〜３０ｍｍの隙間が存在すると、乳幼児の指詰めの危険性が高くなる。そのため、従来から、内装ドアの下端と床との間の指詰めを防止するために、様々な提案がなされている。
【０００４】
たとえば特開２０１１−１４４５４５号公報（特許文献１）では、開き戸の戸先側下面に足指詰め防止材を設けることで、換気性能を維持しつつ足指詰めを防止する技術が開示されている。
【０００５】
また、特開２００７−９６４７号公報（特許文献２）では、家庭内に乳幼児がいる期間にだけドアの下端全体に被覆材を取付け可能とする技術が開示されている。
【先行技術文献】
【特許文献】
【０００６】
【特許文献１】特開２０１１−１４４５４５号公報（特許第５３３３２４７号）
【特許文献２】特開２００７−９６４７号公報
【発明の概要】
【発明が解決しようとする課題】
【０００７】
上記特許文献１では、ドアの下面のうち戸先側にのみ足詰め防止材が設けられるため、足詰め防止材がない部分においては、依然として、乳幼児の指を挟み得る隙間が存在する。したがって、このようなドアの構成では、指詰めを完全に防止することができず、乳幼児の親にとって不安が残る。
【０００８】
これに対し、上記特許文献２では、ドアの下端全体に被覆材が取付けられるため、乳幼児の指詰めの危険性は低下する。しかしながら、被覆材が取付けられている期間、すなわち家庭内に乳幼児がいる期間は、換気不足となってしまうため、単純にドア下の隙間を塞ぐ構成は望ましくない。また、ドアの下端全体に被覆材が取付けられるため、被覆材が目立ち、意匠上においても望ましくない。
【０００９】
本発明は、上記のような課題を解決するためになされたものであって、その目的は、指詰めを防止しつつ、換気性能を良好に維持することのできる、建物内の換気構造を提供することである。
【課題を解決するための手段】
【００１０】
この発明のある局面に従う建物内の換気構造は、建物内において隣り合う２つの室間の換気構造であって、間仕切壁と、ドア枠と、内装ドアと、上部隙間とを備える。間仕切壁は、２つの室間に位置し、２つの室間を連通する開口部を有する。ドア枠は、開口部の両側部に固定される一対の側部部材と、開口部の上端部に固定される上部部材とを含む。内装ドアは、ドア枠に取付けられ、開口部を開閉可能である。上部隙間は、閉状態における内装ドアの上端部とドア枠の上部部材との間に設けられ、２つの室間の換気経路を構成する。
【００１１】
好ましくは、換気構造は、閉状態における内装ドアの下端部と内装ドアの下端部に対面する開口部の底面との間に設けられた下部隙間をさらに備え、上部隙間および下部隙間の双方が、２つの室間の換気経路を構成する。
【００１２】
下部隙間の高さ寸法は、５ｍｍ以下であることが望ましい。
【００１３】
上部隙間の高さ寸法は、下部隙間の高さ寸法よりもよりも大きいことが望ましい。
【００１４】
上部隙間と下部隙間とを合わせた開口面積は、１００ｃｍ２以上１５０ｃｍ２以下であることが望ましい。
【００１５】
好ましくは、換気構造は、上部隙間を介した２つの室間における光の漏れを防止するための遮光手段をさらに備える。
【００１６】
遮光手段は、ドア枠の上部部材に設けられ、閉状態において、内装ドアの開き側である表面または閉じ側である裏面との間に間隔をあけて配置されることが望ましい。
【００１７】
あるいは、ドア枠の上部部材には、内装ドアの上端部裏面に当接し、遮光手段を構成する上部戸当が設けられていてもよい。この場合、上部戸当には、上部隙間に連通する通気路が形成されていることが望ましい。
【発明の効果】
【００１８】
本発明によれば、指詰めを防止しつつ、換気性能を良好に維持することができる。
【図面の簡単な説明】
【００１９】
【図１】本発明の実施の形態１に係る建物内の換気構造を模式的に示す正面図である。
【図２】本発明の実施の形態１に係る建物内の換気構造を模式的に示す断面図である。
【図３】本発明の実施の形態１において、ドア枠の上部部材と内装ドアとの位置関係を模式的に示す図である。
【図４】本発明の実施の形態２に係る建物内の換気構造を模式的に示す断面図である。
【図５】本発明の実施の形態２において、遮光手段と内装ドアとの位置関係を模式的に示す図である。
【図６】本発明の実施の形態２において、遮光手段を構成する遮蔽部材の他の構成例を模式的に示す図である。
【図７】本発明の実施の形態２の変形例１における遮光手段を模式的に示す図である。
【図８】本発明の実施の形態２の変形例２における遮光手段を模式的に示す図である。
【図９】本発明の実施の形態３に係る建物内の換気構造を模式的に示す断面図である。
【図１０】本発明の実施の形態３において、遮光手段を構成する上部戸当と内装ドアとの位置関係を模式的に示す図である。
【図１１】本発明の実施の形態３の変形例１における上部戸当を模式的に示す断面図である。
【図１２】本発明の実施の形態３の変形例２における上部戸当を模式的に示す断面図である。
【図１３】本発明の実施の形態３の変形例３における上部戸当を模式的に示す断面図である。
【図１４】一般的な建物内の換気構造を模式的に示す断面図である。
【発明を実施するための形態】
【００２０】
本発明の実施の形態について図面を参照しながら詳細に説明する。なお、図中同一または相当部分には同一符号を付してその説明は繰返さない。
【００２１】
＜実施の形態１＞
図１〜図３を参照して、本実施の形態に係る建物内の換気構造１について説明する。換気構造１は、建物内において隣り合う２つの室Ｒ１，Ｒ２間の換気構造であり、建物の２４時間換気のために採用される。
【００２２】
２つの室Ｒ１，Ｒ２は、床面１３から天井面１４まで上方に延びる間仕切壁１１により仕切られている。間仕切壁１１は、これらの室Ｒ１，Ｒ２間を連通する開口部１２を有している。換気構造１は、基本構成として、間仕切壁１１に取付けられたドア枠２と、ドア枠２に取付けられ、開口部１２を開閉可能な内装ドア３とを備える。なお、「室」とは、建物内において間仕切壁１１で仕切られる空間を意味し、リビングや寝室などの居室だけでなく、廊下や洗面室などの非居室を含む。
【００２３】
内装ドア３は、いわゆる開き戸である。以下の説明において、内装ドア３の開く方向を前方、閉じる方向を後方という。本実施の形態では、室Ｒ１側へ開くと仮定する。内装ドア３の室Ｒ１側（前方側）の面を表面３ａといい、室Ｒ２側（後方側）の面を裏面３ｂという。なお、図１における矢印Ａ１は、内装ドア３の幅方向を示す。図２における矢印Ａ２は内装ドア３の開方向（前方）を示し、矢印Ａ２の反対方向が内装ドア３の閉方向（後方）を示す。内装ドア３の表面３ａおよび裏面３ｂには、内装ドア３の開閉操作のためのハンドル３２が設けられる。
【００２４】
ドア枠２は、開口部１２の両側部に固定される一対の側部部材２１，２２と、開口部１２の上端部に固定される上部部材２３とを含む。内装ドア３は、ドア枠２の一方の側部部材２１にヒンジ３１を介して回転可能に取付けられる。ドア枠２の他方の側部部材２２には、内装ドア３の裏面３ｂのうちの戸先側端部（側部裏面）に当接する側部戸当２４が設けられている。内装ドア３の上端面３ｃは、開口部１２の天面としての上部部材２３の下面２３ａに対面し、内装ドア３の下端面３ｄは、開口部１２の底面としての床面１３と対面する。
【００２５】
このように、室Ｒ１，Ｒ２間の出入り口となる開口部１２が、開き戸である内装ドア３により開閉される構成の場合、一般的に、内装ドア３と床面１３との間に、室Ｒ１，Ｒ２間の換気のための隙間が設けられる。図１４を参照して、一般的な建物内の換気構造１０１について簡単に説明する。
【００２６】
図１４に示されるように、換気構造１０１は、内装ドア３の下端部（下端面３ｄ）と床面１３との間に、換気経路を構成する隙間１４１を備えている。これに対し、内装ドア３の両側部および上端部（上端面３ｃ）とドア枠１０２との間に換気を意図した隙間はない。この場合、ドア枠１０２は、内装ドア３の側部裏面に当接する側部戸当２４だけでなく、内装ドア３の裏面３ｂのうちの上端部（上部裏面）に当接する上部戸当１２５を有している。上部戸当１２５は、通常、上部部材１２３に一体的に設けられる。
【００２７】
このような一般的な換気構造１０１において、内装ドア３の下方の隙間１４１の高さ寸法（つまり、床面１３と内装ドア３の下端面３ｄとの間隔）Ｌ１０は、１０ｍｍ〜３０ｍｍである。１歳〜３歳までの乳幼児が立った状態で最も太い足指（親指）の厚み（高さ）は、６ｍｍ〜２０ｍｍであるという調査結果を考慮すると、隙間１４１が３０ｍｍ近くある場合には、隙間１４１にすっぽりと足指が入ってしまう。また、隙間１４１が１０ｍｍ〜１５ｍｍ程度であったとしても、細い足指（小指等）は隙間１４１に入ってしまうおそれがある。また、ハイハイの状態（手のひらと膝を床について体を持ち上げ、四つん這いになった状態）の手指の厚みは足指の厚みよりも小さいことから、活発に動き回る乳幼児の手指を隙間１４１に挟んでしまう可能性も高い。
【００２８】
そこで、本実施の形態では、図１および図２に示されるように、内装ドア３の上端面３ｃと上部部材２３との間に、換気に寄与する上部隙間４２を設け、その代わりに、内装ドア３の下端面３ｂと床面１３との間の下部隙間４１の高さ寸法Ｌ２を、乳幼児の指挟みが起き難い高さとしている。本実施の形態では、このように上部隙間４２が換気経路を構成するため、図３に示されるように、ドア枠２の上部部材２３には、図１４で示したような上部戸当１２５が設けられていない。なお、図３では、理解を容易にするために、閉状態における内装ドア３の位置を想像線で示している。
【００２９】
下部隙間４１の高さ寸法Ｌ２は、乳幼児の指詰めを防止するため５ｍｍ以下であり、かつ、下部隙間４１が換気にも寄与し得るよう３ｍｍ以上とすることが望ましい。このように、２つの室Ｒ１，Ｒ２間の換気経路を、上部隙間４２だけで構成するのではなく、上部隙間４２と下部隙間４１との双方によって構成することが望ましい。
【００３０】
内装ドア３の施工精度や経年変化等の事情のみを考慮した場合、下部隙間４１の高さ寸法Ｌ２は１ｍｍ〜２ｍｍであってもよいが、下部隙間４１も換気経路の一部として機能させることで、換気経路が内装ドア３の上下に分散されるため、上部隙間４２の高さ寸法Ｌ１だけが大きくなってしまうことを回避できる。
【００３１】
上部隙間４２の高さ寸法Ｌ１は、下部隙間４１の高さ寸法Ｌ２よりも大きい。具体的には、上部隙間４２の高さ寸法Ｌ１は、少なくとも５ｍｍ以上であり、望ましくは８ｍｍ以上である。また、上部隙間４２の高さ寸法Ｌ２は、上部隙間４２を介した光の漏れや音漏れを抑制するために、１０ｍｍ以下であることが望ましい。
【００３２】
このように、室Ｒ１と室Ｒ２との換気量は、下部隙間４１により構成される下側換気経路よりも、上部隙間４２により構成される上側換気経路の方が大きくなる。なお、下部隙間４１および上部隙間４２の高さ寸法は上記した例に限定されないが、上部隙間４２の高さ寸法Ｌ１と下部隙間４１の高さ寸法Ｌ２とを足した寸法が、１０ｍｍ以上３０ｍｍ以下であることが望ましい。また、上部隙間４２と下部隙間４１とを合わせた開口面積は、シックハウス対策を考慮して１００ｃｍ２以上１５０ｃｍ２以下であることが望ましい。
【００３３】
以上説明したように、本実施の形態の換気構造１によれば、上部隙間４２を下部隙間４１よりも大きくするという簡単な構成で、換気性能の維持と指詰めの防止とを実現することができる。そのため、指詰めを防止するための付属部品等を内装ドア３の下端部に設けなくてもよいため、意匠性を向上させることができる。また、本実施の形態によれば、余分なコストを掛けることなく指詰めを防止することができる。したがって、本実施の形態の換気構造１は汎用性が高く、種々の建物に適用することができる。
【００３４】
また、上部隙間４２を下部隙間４１よりも大きくすることで、冬期に下部隙間４１から入り込む冷気による足元の冷えを防止することもできる。
【００３５】
＜実施の形態２＞
図４および図５を参照して、本実施の形態に係る建物内の換気構造１Ａについて説明する。換気構造１Ａの基本構成は実施の形態１の換気構造１と同様であるため、以下に、実施の形態１と異なる部分のみ詳細に説明する。
【００３６】
本実施の形態に係る換気構造１Ａは、ドア枠２の上部部材２３に設けられた遮光手段、すなわち不透光性の遮蔽部材５を備える。遮蔽部材５は、内装ドア３の裏面３ｂとの間に間隔をあけて配置され、上部部材２３の下面２３ａよりも下方に突出して設けられる。遮蔽部材５は、硬性材料で形成され、たとえば上部部材２３と同じ材質（木材、樹脂など）である。
【００３７】
遮蔽部材５は、図５に示されるように、ドア枠２の側部部材２１，２２間の全幅に亘り延在する長尺状の部材であり、ボルトや接着剤などの接合部材（図示せず）によって上部部材２３に固定される。図４を参照して、遮蔽部材５の高さ寸法（上部部材２３の下面２３ａから遮蔽部材５の先端位置までの長さ）Ｌ３は、上部隙間４２の高さ寸法Ｌ１（図２）よりも大きい。このような遮蔽部材５が上部部材２３に取付けられることで、上部隙間４２を介した２つの室Ｒ１，Ｒ２間における光の漏れを防止することができる。
【００３８】
たとえば室Ｒ１から室Ｒ２に向けて空気が流動する場合、室Ｒ１の空気は、上部隙間４２を通過した後に遮蔽部材５に突き当たることで進路を下方に変えて室Ｒ２へ送られる。遮蔽部材５を設けることにより換気性能が低下しないように、内装ドア３の裏面３ｂと遮蔽部材５との間の間隔Ｌ４は、上部隙間４２の高さ寸法Ｌ１以上であることが望ましい。つまり、間隔Ｌ４は、８ｍｍ以上であることが望ましい。
【００３９】
このような構成によれば、たとえば室Ｒ１が寝室、室Ｒ２が廊下である場合に、室Ｒ１での就寝時に、室Ｒ２の照明の光が上部隙間４２から室Ｒ１に漏れ入る不都合を低減することができる。したがって、居住者の目線よりも上に位置する上部隙間４２を下部隙間４１よりも大きく採ったとしても、居住者は快適に過ごすことができる。
【００４０】
なお、遮蔽部材５は、図４に示すような厚みの大きいブロック状の部材でなくてもよく、厚みの小さい板状の部材であってもよい。また、本実施の形態では、遮蔽部材５は、上部部材２３に取付けられる単体の部材であることとしたが、上部部材２３に一体的に設けられてもよい。
【００４１】
また、図６に示す遮蔽部材５Ａのように、前方に突出する複数の突出部５３を有していてもよい。複数の突出部５３は、幅方向に互いに間隔をあけて設けられる。複数の突出部５３は、閉状態における内装ドア３の上端部裏面に当接する。つまり、複数の突出部５３は、上部戸当として機能する。このような場合、ドア枠２に上部戸当が設けられていない場合に比べて、内装ドア３の上端部の反りなどの経年変化を抑制することができる。
【００４２】
上部隙間４２を介した２つの室Ｒ１，Ｒ２間における光の漏れを防止するための遮光手段の取付け位置または材質は、上記以外であってもよい。以下に、本実施の形態の変形例について説明する。
【００４３】
（変形例１）
図７は、本実施の形態の変形例１における遮光手段を模式的に示す図である。本変形例における遮光手段は、内装ドア３の表面３ａ側に配置された遮蔽部材５Ｂにより実現される。
【００４４】
遮蔽部材５Ｂは、内装ドア３の表面３ａとの間に間隔をあけて配置され、上部部材２３の下面２３ａよりも下方に突出して設けられる。遮蔽部材５Ｂの高さ寸法（上部部材２３の下面２３ａから遮蔽部材５Ｂの先端位置までの長さ）は、図４で示した寸法Ｌ３と同じであってよい。また、内装ドア３の表面３ａと遮蔽部材５Ｂとの間隔は、図４で示した間隔Ｌ４と同じであってよい。
【００４５】
遮蔽部材５Ｂは、たとえば厚手の遮光生地などの軟性材料で形成される。そのため、内装ドア３の開閉動作の際に、遮蔽部材５Ｂは内装ドア３の上端部（表面３ａまたは裏面３ｂ）に押されて変形するため、内装ドア３の開閉動作を妨げない。
【００４６】
本変形例では、内装ドア３が閉状態において、たとえば室Ｒ１から室Ｒ２に向けて空気が流動する場合、室Ｒ１の空気は、下方から遮蔽部材５Ｂと内装ドア３の表面３ａとの間の隙間へ入り込み、上部隙間４２を通り抜けてそのまま（進路を変えることなく）室Ｒ２へ送られる。
【００４７】
（変形例２）
図８は、本実施の形態の変形例２における遮光手段を模式的に示す図である。本変形例における遮光手段は、内装ドア３の上端部に固定された遮蔽部材５Ｃにより実現される。
【００４８】
遮蔽部材５Ｃは、たとえばＬ字状断面を有する硬性の部材（たとえば金具）である。遮蔽部材５Ｃは、内装ドア３の上端面３ｃに固定されて内装ドア３の表面３ａよりも前方へ突出する固定突出部５１と、固定突出部５１の先端から上方へ立ち上がる立上部５２とで構成される。立上部５２の高さ寸法（内装ドア３の上端面３ｃから立上部５２の先端位置までの長さ）は、図４で示した寸法Ｌ３と同じであってもよいし、上部隙間４２の高さ寸法Ｌ１（図２）よりも小さくてもよい。また、立上部５２と上部部材２３との間の前後方向における間隔は、図４で示した間隔Ｌ４と同じであってよい。
【００４９】
本変形例では、内装ドア３が閉状態において、たとえば室Ｒ１から室Ｒ２に向けて空気が流動する場合、室Ｒ１の空気は、上方から遮蔽部材５Ｃの立上部５２と上部部材２３との間の隙間へ入り込み、上部隙間４２を通り抜けてそのまま（進路を変えることなく）室Ｒ２へ送られる。
【００５０】
＜実施の形態３＞
図９および図１０を参照して、本実施の形態に係る建物内の換気構造１Ｂについて説明する。換気構造１Ｂの基本構成は実施の形態１の換気構造１と同様であるため、以下に、実施の形態１と異なる部分のみ詳細に説明する。
【００５１】
本実施の形態に係る換気構造１Ｂは、ドア枠２の上部部材２３に取付けられた上部戸当６を備えている。上部戸当６は、ドア枠２の側部部材２１，２２間の全幅に亘り延在する長尺状の部材である。上部戸当６の高さ寸法（上部部材２３の下面２３ａから上部戸当６の下端位置までの長さ）は、上部隙間４２の高さ寸法Ｌ１（図２）よりも大きく、上部戸当６は内装ドア３の裏面３ｂに面接触する当接部６２を含んでいる。
【００５２】
上部戸当６は、不透光性を有する硬性材料（たとえば金属、樹脂など）で形成されている。そのため、実施の形態２で示した遮蔽部材と同様に、上部戸当６は遮光手段の機能を果たす。さらに、上部戸当６には、上部隙間４２に連通する通気路６０が形成される。本実施の形態では、上部隙間４２とこの通気路６０とによって、２つの室Ｒ１，Ｒ２間の上側換気経路が構成される。したがって、上部戸当６が上部部材２３に取付けられることで、上部隙間４２を介した２つの室Ｒ１，Ｒ２間の換気を可能としつつ、室Ｒ１，Ｒ２間における光の漏れを防止することができる。
【００５３】
上部戸当６の具体的な構成例は次の通りである。すなわち、上部戸当６は、当接部６２に加え、固定部６５と、遮蔽部６１と、底壁部６６と、通気開口６３，６４とを含む。固定部６５は、上部部材２３の下面２３ａに面接触して幅方向に延び、接合部材により上部部材２３に固定される。遮蔽部６１は、固定部６５の後端に連結され、内装ドア３の裏面３ｂから離れた位置において上下方向に延在する。遮蔽部６１の下端位置は、たとえば当接部６２の下端位置と同じ高さである。底壁部６６は、遮蔽部６１の下端と当接部６２の下端とを連結し、たとえば水平方向に延在する。
【００５４】
通気開口６３は、固定部６５と当接部６２の上端との間に設けられ、上部隙間４２に面する。通気開口６４は、底壁部６６に設けられる。具体的には、通気開口６４は、幅方向に沿って、互いに間隔をあけて複数個設けられる。このように、本実施の形態では、通気開口６３が前方を向いて配置され、通気開口６４が下方を向いて配置される。なお、上部戸当６は、当接部６２を下部に有して固定部６５と底壁部６６とを連結する縦板部（図示せず）を含み、この縦板部の上部に複数の通気開口６３が形成されていてもよい。
【００５５】
たとえば室Ｒ１から室Ｒ２へ空気が流動する場合、通気路６０は、上部隙間４２に面し空気の入口となる通気開口６３と、室Ｒ２内の空間に面し空気の出口となる通気開口６４と、通気開口６３から通気開口６４へ至る空洞部６７とによって構成される。なお、室Ｒ２から室Ｒ１へ空気が流動する場合は、通気開口６４が空気の入口となり、通気開口６３が空気の出口となる。通気開口６３，６４が互いに対面していないため、通気路６０は空気を迂回させる経路となっている。
【００５６】
このような上部戸当６が上部部材２３に固定された場合、室Ｒ１の空気は、上部隙間４２および通気開口６３を通過して空洞部６７に流入し、遮蔽部６１に突き当たることで進路を下方に変えて、通気開口６４から室Ｒ２へ送られる。
【００５７】
本実施の形態のように、上部戸当６に通気機能と遮光機能とを持たせることで、実施の形態２と同様の効果を奏しつつ、内装ドア３の経年変化を抑制することができる。
【００５８】
なお、上部戸当６が通気機能と遮光機能とを有しさえすれば、上部戸当６の構造は特に限定されない。つまり、空気の迂回経路（通気路６０）は、図９のような例に限定されない。以下に、本実施の形態の変形例について説明する。
【００５９】
（変形例１）
図１１は、本実施の形態の変形例１における上部戸当６Ａを模式的に示す断面図である。上部戸当６Ａは、当接部６２の上端から後方（遮蔽部６１側）へ折り曲げられた仕切り部６９を有している。仕切り部６９と遮蔽部６１との間には、隙間が設けられており、通気路６０Ａは、この隙間を通る構成である。
【００６０】
（変形例２）
図１２は、本実施の形態の変形例２における上部戸当６Ｂを模式的に示す断面図である。上部戸当６Ｂに設けられた通気開口６４は、底壁部６６ではなく、遮蔽部６１の下方であって、当接部６２と対面する位置に配置されている。つまり、通気開口６４は、下向きではなく、後方を向いて配置されている。なお、本変形例においても、遮蔽部６１の高さ寸法は、上部隙間４２の高さ寸法Ｌ１（図２）以上である。そのため、通気開口６４の上端の高さは、当接部６２の上端の高さ（内装ドア３の上端面３ｃの高さ）よりも低い。
【００６１】
この場合、通気路６０Ｂは、前方を向く通気開口６３と、通気開口６３よりも低い位置において後方を向く通気開口６４と、これら開口６３，６４を連通する空洞部６７とによって構成される。したがって、室Ｒ１内の空気は、上部隙間４２および通気開口６３を通過すると、若干進路を下方へずらし、通気開口６４から室Ｒ２へ送られる。
【００６２】
（変形例３）
図１３は、本実施の形態の変形例３における上部戸当６Ｃを模式的に示す断面図である。上部戸当６Ｃに設けられた通気開口６４は、後方向きであり、かつ、通気開口６３と同じ高さに配置されている。
【００６３】
この場合、通気開口６３と通気開口６４との間に、遮蔽部６１が設けられる。遮蔽部６１の下端と底壁部６６との間には隙間が設けられており、通気路６０Ｃは、この隙間を通る構成である。したがって、室Ｒ１の空気は、上部隙間４２および通気開口６３を通過すると、遮蔽部６１の下を潜り抜けるように下方に迂回して、後方を向く通気開口６４から室Ｒ２へ送られる。
【００６４】
（他の変形例）
本実施の形態および上記変形例１〜３では、硬性の上部戸当の断面形状を工夫することで、通気機能と遮光機能とを満たすこととしたが、上部戸当は、通気性および遮光性を有するブロック状の部材で形成されてもよい。言い換えると、上部隙間４２を介した室Ｒ１，Ｒ２間の光の漏れを防止するための遮光手段は、通気性を有する多孔質部材（たとえばスポンジなど）により構成されてもよい。
【００６５】
以上説明したように、各実施の形態（および変形例）によれば、指詰めを防止しつつ、換気性能を良好に維持することができる。なお、各実施の形態では、上部隙間４２と下部隙間４１とで室Ｒ１，Ｒ２間の換気経路を構成することとしたが、上部隙間４２のみが換気経路を構成してもよい。あるいは、下部隙間４１に代えて／加えて、ドア枠２の側部部材２１，２２と内装ドア３との間にも、換気に寄与する側部隙間を設けてもよい。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１，１Ａ，１Ｂ，１０１  換気構造、２，１０２  ドア枠、３  内装ドア、５，５Ａ，５Ｂ，５Ｃ  遮蔽部材、６，６Ａ，６Ｂ，６Ｃ，１２５  上部戸当、１１  間仕切壁、１２  開口部、１３  床面、１４  天井面、２１，２２  側部部材、２３，１２３  上部部材、２４  側部戸当、４１，１４１  下部隙間、４２  上部隙間、５１  固定突出部、５２  立上部、５３  突出部、６０，６０Ａ，６０Ｂ，６０Ｃ  通気路、６１  遮蔽部、６２  当接部、６３，６４  通気開口、６５  固定部、６６  底壁部、６７  空洞部、６９  仕切り部、Ｒ１，Ｒ２  室。
【図１】
0006744148.tif 000002
【図２】
0006744148.tif 000003
【図３】
0006744148.tif 000004
【図４】
0006744148.tif 000005
【図５】
0006744148.tif 000006
【図６】
0006744148.tif 000007
【図７】
0006744148.tif 000008
【図８】
0006744148.tif 000009
【図９】
0006744148.tif 000010
【図１０】
0006744148.tif 000011
【図１１】
0006744148.tif 000012
【図１２】
0006744148.tif 000013
【図１３】
0006744148.tif 000014
【図１４】
0006744148.tif 000015